(57)【要約】【課題】不可視情報をＸ線によって簡単且つ確実な真偽判別を可能とする。【解決手段】基材２の一面に所定の情報３を記録するとともに、その上に所定の情報３の存在を隠蔽するための金属層４を設けることによって、透過Ｘ線のもとで所定の情報３を認識可能として真偽判別を行う。【選択図】      図１
2004188809.tif 000002
【特許請求の範囲】
【請求項１】
基材と、
上記基材上の所定の領域に、Ｘ線透過率がα％（但し、αは定数とする。）のインキで印刷された所定の情報と、
上記所定の情報の存在を隠蔽するために上記所定の領域を被覆する、Ｘ線透過率がβ％（但し、α＜β；βは定数とする。）の非磁性金属層とを備え、
上記基材のＸ線透過率が上記所定の情報のＸ線透過率であるα％よりも高く、上記金属層のＸ線透過率が上記基材のＸ線透過率よりも高いことを特徴とする情報記録媒体。
【請求項２】
基材と、
上記基材上の所定の領域に、Ｘ線透過率がα％（但し、αは定数とする。）のインキで印刷された第１の情報と、
上記第１の情報の存在を隠蔽するために上記所定の領域を被覆する、Ｘ線透過率がβ％（但し、α＜β；βは定数とする。）の非磁性金属層と、
上記金属層に記録された第２の情報とを備え、
上記基材のＸ線透過率が上記第１の情報のＸ線透過率であるα％よりも高く、上記金属層のＸ線透過率が上記基材のＸ線透過率よりも高いことを特徴とする情報記録媒体。
【請求項３】
上記所定の情報が機械読み取り可能なコード情報であることを特徴とする請求項１に記載の情報記録媒体。
【請求項４】
上記第１の情報が機械読み取り可能なコード情報であることを特徴とする請求項２に記載の情報記録媒体。
【請求項５】
上記機械読み取り可能なコード情報がバーコードを用いて記録されていることを特徴とする請求項３に記載の情報記録媒体。
【請求項６】
上記機械読み取り可能なコード情報がバーコードを用いて記録されていることを特徴とする請求項４に記載の情報記録媒体。
【請求項７】
上記バーコードを構成するそれぞれのバーがそれぞれのバーごとに所定の磁束密度を示すように印刷されていることを特徴とする請求項５に記載の情報記録媒体。
【請求項８】
上記バーコードを構成するそれぞれのバーがそれぞれのバーごとに所定の磁束密度を示すように印刷されていることを特徴とする請求項６に記載の情報記録媒体。
【請求項９】
上記機械読み取り可能なコード情報が２次元コードを用いて記録されていることを特徴とする請求項３に記載の情報記録媒体。
【請求項１０】
上記機械読み取り可能なコード情報が２次元コードを用いて記録されていることを特徴とする請求項４に記載の情報記録媒体。
【請求項１１】
Ｘ線透過率がα％（但し、αは定数とする。）の基材と、
上記基材の所定の領域に、上記基材とＸ線透過率が異なるようにすき入れを用いて付与した所定の情報と、
上記所定の情報の存在を隠蔽するために上記所定の領域を被覆する、Ｘ線透過率がβ％（但し、α＜β；βは定数とする。）の非磁性金属層とを備えたことを特徴とする情報記録媒体。
【請求項１２】
Ｘ線透過率がα％（但し、αは定数とする。）の基材と、上記基材の所定の領域に、上記基材とＸ線透過率が異なるようにすき入れを用いて付与した第１の情報と、
上記第１の情報の存在を隠蔽するために上記所定の領域を被覆する、Ｘ線透過率がβ％（但し、α＜β；βは定数とする。）の非磁性金属層と、
上記金属層に記録された第２の情報とを備えたことを特徴とする情報記録媒体。
【請求項１３】
Ｘ線透過率がα％（但し、αは定数とする。）の基材と、
上記基材の所定の領域に、上記基材とＸ線透過率が異なるように微細穿孔を用いて付与した所定の情報と、
上記所定の情報の存在を隠蔽するために上記所定の領域を被覆する、Ｘ線透過率がβ％（但し、α＜β；βは定数とする。）の非磁性金属層とを備えたことを特徴とする情報記録媒体。
【請求項１４】
Ｘ線透過率がα％（但し、αは定数とする。）の基材と、
上記基材の所定の領域に、上記基材とＸ線透過率が異なるように微細穿孔を用いて付与した第１の情報と、
上記第１の情報の存在を隠蔽するために上記所定の領域を被覆する、Ｘ線透過率がβ％（但し、α＜β；βは定数とする。）の非磁性金属層と、
上記金属層に記録された第２の情報とを備えたことを特徴とする情報記録媒体。
【請求項１５】
上記所定の情報が機械読み取り可能なコード情報であることを特徴とする請求項１１又は１３のいずれかに記載の情報記録媒体。
【請求項１６】
上記第１の情報が機械読み取り可能なコード情報であることを特徴とする請求項１２又は１４のいずれかに記載の情報記録媒体。
【請求項１７】
上記機械読み取り可能なコード情報がバーコードを用いて記録されていることを特徴とする請求項１５に記載の情報記録媒体。
【請求項１８】
上記機械読み取り可能なコード情報がバーコードを用いて記録されていることを特徴とする請求項１６に記載の情報記録媒体。
【請求項１９】
上記機械読み取り可能なコード情報が２次元コードを用いて記録されていることを特徴とする請求項１５に記載の情報記録媒体。
【請求項２０】
上記機械読み取り可能なコード情報が２次元コードを用いて記録されていることを特徴とする請求項１６に記載の情報記録媒体。
【請求項２１】
上記基材と上記所定の情報の間に、上記所定の情報の存在を隠蔽するために、Ｘ線透過率が上記基材のＸ線透過率よりも高いγ％（但し、α＜γ、β＜γ；γは定数とする。）のインキを用いて隠蔽画線が印刷されていることを特徴とする請求項１、３、５、７又は９のいずれかに記載の情報記録媒体。
【請求項２２】
上記基材と上記第１の情報の間に、上記第１の情報の存在を隠蔽するために、Ｘ線透過率が上記基材のＸ線透過率よりも高いγ％（但し、α＜γ、β＜γ；γは定数とする。）のインキを用いて隠蔽画線が印刷されていることを特徴とする請求項２、４、６、８又は１０のいずれかに記載の情報記録媒体。
【請求項２３】
上記基材の両面のうち上記金属層を設けた表面と反対側表面に、上記所定の情報の存在を隠蔽するために、Ｘ線透過率が上記基材のＸ線透過率よりも高いγ％（但し、α＜γ、β＜γ；γは定数とする。）のインキを用いて隠蔽画線が印刷されていることを特徴とする請求項１、３、５、７又は９のいずれかに記載の情報記録媒体。
【請求項２４】
上記基材の両面のうち上記金属層を設けた表面と反対側表面に、上記第１の情報の存在を隠蔽するために、Ｘ線透過率が上記基材のＸ線透過率よりも高いγ％（但し、α＜γ、β＜γ；γは定数とする。）のインキを用いて隠蔽画線が印刷されていることを特徴とする請求項２、４、６、８又は１０のいずれかに記載の情報記録媒体。
【請求項２５】
上記基材の両面のうち上記金属層を設けた表面と反対側表面に、上記所定の情報の存在を隠蔽するために、Ｘ線透過率がγ％（但し、α＜γ、β＜γ；γは定数とする。）のインキを用いて隠蔽画線が印刷されていることを特徴とする請求項１１、１３、１５、１７又は１９のいずれかに記載の情報記録媒体。
【請求項２６】
上記基材の両面のうち上記金属層を設けた表面と反対側表面に、上記第１の情報の存在を隠蔽するために、Ｘ線透過率がγ％（但し、α＜γ、β＜γ；γは定数とする。）のインキを用いて隠蔽画線が印刷されていることを特徴とする請求項１２、１４、１６、１８又は２０のいずれかに記載の情報記録媒体。
【請求項２７】
上記金属層と上記所定の情報の間に、上記所定の情報の存在を隠蔽するために、Ｘ線透過率が上記基材のＸ線透過率よりも高いγ％（但し、α＜γ、β＜γ；γは定数とする。）のインキを用いて隠蔽画線が印刷されていることを特徴とする請求項１、３、５、７、９、２１又は２３のいずれかに記載の情報記録媒体。
【請求項２８】
上記金属層と上記第１の情報の間に、上記第１の情報の存在を隠蔽するために、Ｘ線透過率が上記基材のＸ線透過率よりも高いγ％（但し、α＜γ、β＜γ；γは定数とする。）のインキを用いて隠蔽画線が印刷されていることを特徴とする請求項２、４、６、８、１０、２２又は２４のいずれかに記載の情報記録媒体。
【請求項２９】
上記金属層と上記所定の情報の間に、上記所定の情報の存在を隠蔽するために、Ｘ線透過率がγ％（但し、α＜γ、β＜γ；γは定数とする。）のインキを用いて隠蔽画線が印刷されていることを特徴とする請求項１１、１３、１５、１７、１９又は２５のいずれかに記載の情報記録媒体。
【請求項３０】
上記金属層と上記第１の情報の間に、上記第１の情報の存在を隠蔽するために、Ｘ線透過率がγ％（但し、α＜γ、β＜γ；γは定数とする。）のインキを用いて隠蔽画線が印刷されていることを特徴とする請求項１２、１４、１６、１８、２０又は２６のいずれかに記載の情報記録媒体。
【請求項３１】
透過Ｘ線のもとで上記所定の情報が濃淡の階調を持って認識可能となることを特徴とする請求項１、３、５、７、９、１１、１３、１５、１７、１９、２１、２３、２５、２７又は２９のいずれかに記載の情報記録媒体。
【請求項３２】
透過Ｘ線のもとで上記第１の情報が濃淡の階調を持って認識可能となることを特徴とする請求項２、４、６、８、１０、１２、１４、１６、１８、２０、２２、２４、２６、２８又は３０のいずれかに記載の情報記録媒体。
【発明の詳細な説明】
【０００１】
【発明の属する技術分野】
本発明は、紙幣、切手、印紙、証紙、株券、債券、商品券、入場券、登録証、会員証、権利証、出入国証、パスポートを含む情報記録媒体に関するものである。
【０００２】
【従来の技術】
これまでの紙幣等の貴重印刷物では、偽造を防止するため、例えば用紙関係ではすき入れ、セキュリティスレッド又は紫外線下で発光する蛍光繊維、印刷関係では、マイクロ文字、斜めに傾けると像が現れる特殊潜像模様、紫外線下で発光する蛍光印刷又は精巧な彩紋や細密な万線、肖像等が各種貴重印刷物に施され、偽造に対する有効性を保持していた。しかし、最近では、カラー複写機による複写物や、パソコンを使用したプリンタ出力物による偽造が多発することから、貴重印刷物の偽造を一層困難にし、尚かつ誰もが簡単に真偽判別可能な要素を加えるため、上記の偽造防止技術と併せて、光学的変化をともなうＯＶＤや金属箔を貼付させている（例えば、イギリス２０ポンド券、ドイツ１００マルク券等がある。）。
【０００３】
【発明が解決しようとする課題】
このＯＶＤ、金属箔による金属層は、カラー複写やプリンタ出力による偽造に対して有効であるが、その金属層を付与した部分については、ＯＶＤの画像変化や金属箔の色や輝きの認識を妨げないようにするため、金属層が付与された同じ領域においては、他の偽造防止技術を付与することが困難であった。しかし、紙幣等の貴重印刷物では、限られた狭い面積において、偽造防止効果を高めるため、一つの領域に、一つだけではない、複数の偽造防止技術が施されることにより高いセキュリティを持つ。さらに、それらが互いに関連することが、一層の有効性を高める。
【０００４】
【課題を解決するための手段】
そこで、本発明では金属層下の同じ領域に、通常の視認状態（可視光）では金属層で隠蔽され認識不可能な情報を付与する。金属層は通常の視認状態（例えば可視光）で、画像又は色情報等を読み取り、金属層下の情報は透過Ｘ線のもとで読み取る。これにより、所定の同一領域において複数の偽造防止効果を施すことが可能となる。又、金属層の情報と金属層下の情報とで相関関係の有無を確認して、簡単かつ確実な真偽判別を可能とし、これによってきわめて偽造困難な情報記録媒体を実現する。
【０００５】
本発明は上記課題を解決するために、基材と、上記基材上の所定の領域に、Ｘ線透過率がα％（但し、αは定数とする。）のインキで印刷された所定の情報と、上記所定の情報の存在を隠蔽するために上記所定の領域を被覆する、Ｘ線透過率がβ％（但し、α＜β；βは定数とする。）の非磁性金属層とを備え、上記基材のＸ線透過率が上記所定の情報のＸ線透過率であるα％よりも高く、上記金属層のＸ線透過率が上記基材のＸ線透過率よりも高いことによって、透過Ｘ線のもとで、上記所定の情報が認識可能となることを特徴とする情報記録媒体を提供する。
【０００６】
さらに、本発明は上記課題を解決するために、基材と、上記基材上の所定の領域に、Ｘ線透過率がα％（但し、αは定数とする。）のインキで印刷された第１の情報と、上記第１の情報の存在を隠蔽するために上記所定の領域を被覆する、Ｘ線透過率がβ％（但し、α＜β；βは定数とする。）の非磁性金属層と、上記金属層に記録された第２の情報とを備え、上記基材のＸ線透過率が上記第１の情報のＸ線透過率であるα％よりも高く、上記金属層のＸ線透過率が上記基材のＸ線透過率よりも高いことによって、透過Ｘ線のもとではない所定の視認条件のもとで、上記第１の情報が認識不可能となり、上記第２の情報が認識可能であり、透過Ｘ線のもとで、上記第１の情報が認識可能となり、上記第２の情報が認識不可能となることを特徴とする情報記録媒体を提供する。
【０００７】
透過Ｘ線像として認識可能な上記所定の情報又は上記第１の情報は、機械読み取り可能なコード情報とし、バーコードや２次元コードとしてもよい。
【０００８】
上記Ｘ線透過率がα％のインキは、磁性インキとし、バーコードを構成するそれぞれのバーがそれぞれに所定の磁束密度を示すように印刷されている構成としてもよい。
【０００９】
上記所定の情報又は上記第１の情報が、上記金属層及び上記基材よりもＸ線透過率が低い元素を含む有色又は透明インキを用いて印刷されている構成としてもよい。
【００１０】
さらに、本発明は上記課題を解決するために、Ｘ線透過率がα％（但し、αは定数とする。）の基材と、上記基材の所定の領域に、上記基材とＸ線透過率が異なるようにすき入れを用いて記録された所定の情報と、上記所定の情報の存在を隠蔽するために上記所定の領域を被覆する、Ｘ線透過率がβ％（但し、α＜β；βは定数とする。）の非磁性金属層とを備え、透過Ｘ線のもとで、上記所定の情報が認識可能となることを特徴とする情報記録媒体を提供する。
【００１１】
さらに、本発明は上記課題を解決するために、Ｘ線透過率がα％（但し、αは定数とする。）の基材と、上記基材の所定の領域に、上記基材とＸ線透過率が異なるようにすき入れを用いて記録された第１の情報と、上記第１の情報の存在を隠蔽するために上記所定の領域を被覆する、Ｘ線透過率がβ％（但し、α＜β；βは定数とする。）の非磁性金属層と、上記金属層に記録された第２の情報とを備え、透過Ｘ線のもとではない所定の視認条件のもとで、上記第１の情報が認識不可能となり、上記第２の情報が認識可能であり、透過Ｘ線のもとで、上記第１の情報が認識可能となり、上記第２の情報が認識不可能となることを特徴とする情報記録媒体を提供する。
【００１２】
さらに、本発明は上記課題を解決するために、Ｘ線透過率がα％（但し、αは定数とする。）の基材と、上記基材の所定の領域に、上記基材とＸ線透過率が異なるように微細穿孔を用いて記録された所定の情報と、上記所定の情報の存在を隠蔽するために上記所定の領域を被覆する、Ｘ線透過率がβ％（但し、α＜β；βは定数とする。）の非磁性金属層とを備え、透過Ｘ線のもとで、上記所定の情報が認識可能となることを特徴とする情報記録媒体を提供する。
【００１３】
さらに、本発明は上記課題を解決するために、Ｘ線透過率がα％（但し、αは定数とする。）の基材と、上記基材の所定の領域に、上記基材とＸ線透過率が異なるように微細穿孔を用いて記録された第１の情報と、上記第１の情報の存在を隠蔽するために上記所定の領域を被覆する、Ｘ線透過率がβ％（但し、α＜β；βは定数とする。）の非磁性金属層と、上記金属層に記録された第２の情報とを備え、透過Ｘ線のもとではない所定の視認条件のもとで、上記第１の情報が認識不可能となり、上記第２の情報が認識可能であり、透過Ｘ線のもとで、上記第１の情報が認識可能となり、上記第２の情報が認識不可能となることを特徴とする情報記録媒体を提供する。
【００１４】
透過Ｘ線像として認識可能な上記すき入れ又は上記微細穿孔による上記所定の情報又は上記第１の情報が機械読み取り可能なコード情報とし、バーコードや２次元コードとしてもよい。
【００１５】
上記基材と上記印刷インキによる上記所定の情報又は上記第１の情報の間に、上記所定の情報又は上記第１の情報の存在を隠蔽するためにＸ線透過率が上記基材、上記印刷インキ及び上記金属層よりも高いインキを用いて隠蔽画線が印刷されている構成としてもよい。
【００１６】
上記基材の両面のうち上記金属層を設けた表面と反対側表面に上記印刷インキによる上記所定の情報又は上記第１の情報の存在を隠蔽するために、Ｘ線透過率が上記基材、上記印刷インキ及び上記金属層よりも高いインキを用いて隠蔽画線が印刷されている構成としてもよい。
また、上記基材の両面のうち上記金属層を設けた表面と反対側表面に上記すき入れ又は上記微細穿孔による上記所定の情報又は上記第１の情報の存在を隠蔽するために、Ｘ線透過率が上記基材及び上記金属層よりも高いインキを用いて隠蔽画線が印刷されている構成としてもよい。
【００１７】
上記金属層と上記印刷インキによる上記所定の情報又は上記第１の情報の間に上記所定の情報又は上記第１の情報の存在を隠蔽するために、Ｘ線透過率が上記基材、上記印刷インキ及び上記金属層よりも高いインキを用いて隠蔽画線が印刷されている構成としてもよい。
また、上記金属層と上記すき入れ又は上記微細穿孔による上記所定の情報又は上記第１の情報の間に上記所定の情報又は上記第１の情報の存在を隠蔽するために、Ｘ線透過率が上記基材及び上記金属層よりも高いインキを用いて隠蔽画線が印刷されている構成としてもよい。
【００１８】
上記金属層に記録された上記第２の情報は、ＯＶＤによる画像情報、金属箔の輝きの色、金属箔上に無色蛍光インキで印刷された情報としてもよい。
【００１９】
上記印刷インキ、上記すき入れ又は上記微細穿孔による上記所定の情報又は上記第１の情報を被覆する上記金属層の材料は、例えば非磁性金属のアルミニウムで構成してもよい。
【００２０】
透過Ｘ線のもとで上記印刷インキ、上記すき入れ又は上記微細穿孔による上記所定の情報又は上記第１の情報が濃淡の階調を持って認識可能となる構成としてもよい。
【００２１】
本発明で使用される透過Ｘ線は軟Ｘ線を利用してもよい。
【００２２】
【発明の実施の形態】
本発明に係る情報記録媒体の実施の形態を実施例に基づいて図面を参照して説明する。
【００２３】
（実施例１）
図１は、本発明に係る情報記録媒体の実施例１を説明する図である。この情報記録媒体１は、紙で製造された基材２を有し、この基材２上の所定の領域Ｒに、所定の情報３が記録されている。この所定の情報３は、Ｘ線透過率がα％（但し、αは定数とする。）のインキにより印刷された情報であり、その具体的な態様は、インキにより印刷されたコード、文字、マーク、数字等いろいろな態様（例えば、図１の例では文字Ａ）である。ここで、所定の情報３は、濃淡の階調を持って印刷してもよい。
【００２４】
この所定の情報３の存在を隠蔽するために、所定の情報３が記録された所定の領域Ｒが、Ｘ線透過率がβ％（但し、α＜β；βは定数とする。）の、例えばアルミニウム等の材料の金属層４で被覆されている。所定の情報３は、そのインキのＸ線透過率が金属層４及び基材２（基材は通常の紙で、Ｘ線透過率は、印刷インキによる所定の情報＜基材＜金属層で構成）より低いために、情報記録媒体１にＸ線（例えば軟Ｘ線）を透過させると、所定の情報３は、Ｘ線透過像となって現れ、認識可能となる。
この実施例１は、金属層が付与された同一領域において、金属層下に施された印刷インキによる所定の情報３を読み取ることで真偽判別を行うことができる。
【００２５】
上記のとおり、所定の情報３は、Ｘ線透過率がα％のインキにより印刷され、その具体的な構成はコード、文字、マーク、数字等いろいろな態様があるが、所定の情報３を機械読み取り可能なコード情報とする構成を説明する。図２は、所定の情報がバーコードを用いて記録されている構成を示している。このバーコード５のバーは、Ｘ線透過率がα％のインキで印刷されている。従って、情報記録媒体１にＸ線を透過させると、バーコードがＸ線透過像となって現れ、これを目視又は光学的に読み取って、真正のバーコードと比較、照合することで真偽判別が可能となる。
【００２６】
図３は、所定の情報を付与するバーコード６のバーが、Ｘ線透過率がα％であるとともに、所定の磁束密度のインキで印刷されている構成を示している。図３（ａ）は、バーコード６を構成する複数（この図では４本）のバー７が全て同じ磁束密度のインキで印刷された構成を示している。又、図３（ｂ）は、バーコード６を構成する複数（４本）のバー８ごとに、それぞれ異なる磁束密度のインキで印刷された構成を示している。
【００２７】
このような情報記録媒体の構成であると、バーコード６を構成する４本のバー７、８の夫々の有無に加えて、バー７、８ごとにそれぞれ同じ又は異なる所定の磁束密度の情報も付与し、磁気バーコードセンサでスキャンしチェックすることができるので、確実な真偽判別が可能であり、偽造防止効果がきわめて大きい。
【００２８】
図４は、所定の情報を付与するバーコード９のバー１０が、Ｘ線透過率がα％であるとともに、バーコード９を構成する複数（この図では４本）のバー１０が、磁界をかけた時の磁束密度は同じであるであるが、磁界をゼロにした時に残留磁束密度の状態がそれぞれ異なる特徴をもつ磁性インキで印刷された例を示す。図４（ａ）は、バーコード９に磁界をかけた場合（磁化状態）の、バー１０の磁束密度を示す図である。図４（ｂ）は、図４（ａ）の磁化状態から磁界をゼロにした場合の、バーごとに残留磁束密度の状態を示す図である。
【００２９】
これによると、図４（ａ）に示す磁化状態による磁束密度を読み取る他に、磁化状態から磁界をゼロにした残留磁束密度状態も読み取ることができるため、よって、このようなバーコード９が予め印刷され、磁化状態、残留磁束密度の状態の両方で磁気読み取りできる情報記録媒体の真偽判別に際しては、Ｘ線透過によりバーコード９を読み取るとともに、磁気バーコードセンサにより、磁化状態又は残留磁束密度の状態をバーコード９についてスキャンすることで、バー１０ごとのそれぞれの磁気状態が所定の状態にあるか否かをチェックし、よりきめ細かな真偽判別が可能となる。
【００３０】
図５は、機械読み取り可能なコード情報が、マトリックス状の２次元コード１１として、Ｘ線透過率がα％のインキで記録されている構成を示している。真偽判別に際しては、情報記録媒体１にＸ線を透過させて２次元コード１１を読み取り、その読み取り情報と所定の真正情報とを比較、照合してして真偽判別が行われる。
【００３１】
マトリックス状の２次元コード１１が、磁気インキで印刷された場合は、磁気センサによりコードや、コードを構成する要素１２の磁束密度等を読み取り、その読み取り情報と所定の真正情報とを比較、照合して真偽判別を行うこともできる。２次元コードによると、より多量の情報を付与することが可能となり、確実な真偽判別が可能であり、偽造防止効果がきわめて大きい。
【００３２】
次に、所定の情報を印刷するＸ線透過率がα％のインキについて説明する。この具体例としては、図１に示す所定の情報３が上記基材２の色調と異なる色調の有色インキであって、金属層（例えば、アルミニウム）及び基材よりもＸ線透過率が低い元素を含む有色インキを用いて印刷されている構成がある。又、上記所定の情報３は、金属層及び基材よりもＸ線透過率が低い元素を含む透明インキを用いて印刷されている構成としてもよい。
【００３３】
このように、所定の情報３を金属層及び基材よりもＸ線透過率が低い元素を含む有色又は透明インキを用いて印刷されている構成とすると、透過Ｘ線のもとで所定の情報３が基材２及び金属層４よりもＸ線透過率が低いために、所定の情報３のＸ線透過像が認識可能となり、真偽判別が可能となる。特に透明インキを用いて印刷されている場合には、金属層４がはがれても所定の情報３が認識不可能であり、透過Ｘ線のもとで初めて、所定の情報３が読み取り可能となり真偽判別できるので偽造防止効果が高い。
【００３４】
（実施例２）
図６は、本発明に係る情報記録媒体の実施例２を示す図である。この実施例２の情報記録媒体１３では、基材２と基材２に記録された第１の情報３’については、実施例１の所定の情報３と全く同様である。この実施例２の情報記録媒体１３では、金属層４に第２の情報１４が記録されている。但し、第１の情報＝第２の情報、又は第１の情報≠第２の情報（例えば、図６は第１の情報が文字Ａであり、第２の情報が文字Ｂで、Ａ≠Ｂの場合であるが、第１の情報と第２の情報を共にＡとする場合もある。）とする。
【００３５】
ところで、この第２の情報１４は、Ｘ線を透過しても読み取ることができない状態で記録されている。例えば、第２の情報１４は、所定の視認条件のもとで読みとれるような構成とするものであり、この所定の視認条件としては、例えば紫外線を照射すると発光が生じる無色蛍光インキによる構成としてもよいし、又は可視光下での観察において、角度により画像情報が認識できるＯＶＤの構成や輝いた色を認識できる金属箔の構成としてもよい。
このように、金属層の情報を活用することにより、同一領域に複数の技術を付与することができるだけでなく、情報の相関をもたせることもできる。
【００３６】
実施例２の情報記録媒体１３は以上のような構成であるから、透過Ｘ線のもとではない所定の視認条件のもとで、第１の情報３’が認識不可能であり、金属層４に形成された第２の情報１４は認識可能である。そして、透過Ｘ線のもとで、第１の情報３’が認識可能となり、第２の情報１４が認識不可能である。そして、第２の情報１４は、第１の情報３’と予め特定の相関関係（例えば、同一である又は同一でなくてもアルファベット順の関係がある、輝いた色と相関を持たせる等）を有するような情報として記録し、真偽判別の際、特定の相関関係の有無を確認して真偽判別可能な構成としてもよい。
【００３７】
（実施例３）
図７は、本発明に係る情報記録媒体の実施例３を説明する図である。この情報記録媒体１５は、Ｘ線透過率がα％（但し、αは定数とする。）の紙で製造された基材１６を有し、この基材１６の一部である所定の領域Ｒに、第１の情報１７がすき入れを用いて記録されている。
【００３８】
そして、この第１の情報１７の存在を隠蔽するために、第１の情報１７が記録された所定の領域Ｒが、Ｘ線透過率がβ％（但し、α＜β；βは定数とする。）の、例えばアルミニウム等の材料の金属層１８で被覆されている。
【００３９】
第１の情報１７は、すき入れを利用して記録されており、このすき入れのＸ線透過率が基材１６のすき入れではない地の部分と異なるため、Ｘ線透過反応が異なる。このすき入れによる第１の情報１７を被覆する金属層１８は基材１６よりＸ線透過率が高いために、この実施例３の情報記録媒体１５に、例えば軟Ｘ線等のＸ線を透過させると、すき入れを利用して記録された第１の情報１７は、Ｘ線透過像が認識可能となる。
この実施例３は、金属層が付与された同一領域において、金属層下に施されたすき入れによる第１の情報１７を読み取ることで真偽判別を行うことができる。
【００４０】
第１の情報１７は、基材１６にすき入れを用いて記録されているが、その具体的な構成は、図７に示すように文字、マーク、数字でもよいし、機械読み取り可能なコード情報としてもよい。ここで、第１の情報１７は、濃淡の階調をもったすき入れ像としてもよい。
【００４１】
図８は、第１の情報１７がバーコード１９を用いて記録されている構成を示している。このバーコード１９のバーは、Ｘ線透過率がα％の基材１６に対してすき入れを用いて記録されているから、情報記録媒体１５に軟Ｘ線を透過すると、第１の情報１７を被覆する金属層１８が基材１６よりもＸ線透過率が高いため、バーコード１９が識別可能となる。これを目視又は光学的に読み取って、真正のコードと比較、照合することで真偽判別が可能となる。
【００４２】
図９は、機械読み取り可能なコード情報が、基材１６に対してすき入れによりマトリックス状の２次元コード２０として記録されている構成を示している。真偽判別に際しては、２次元コード２０の要素２１はすき入れで形成されているから、例えば情報記録媒体１５に軟Ｘ線を透過すると、第１の情報１７を被覆する金属層１８が基材１６よりもＸ線透過率が高いため識別可能となる。これを目視又は光学的に読み取って、真正のコードと比較、照合することで真偽判別が可能となる。この２次元コード２０によると、より多量の情報を付与することが可能となり、確実な真偽判別が可能であり、偽造防止効果がきわめて大きい。
【００４３】
（実施例４）
図１０は、本発明に係る情報記録媒体の実施例４を示す図である。この実施例４では、基材１６と基材１６に記録された第１の情報１７については、実施例３と全く同様である。この実施例４の情報記録媒体２２では、金属層１８に第２の情報２２’が記録されている。但し、第１の情報＝第２の情報、又は第１の情報≠第２の情報（例えば、図１０は第１の情報が文字Ａであり、第２の情報が文字Ｂで、Ａ≠Ｂの場合であるが、第１の情報と第２の情報を共に同じにする場合もある。）
【００４４】
ところで、この第２の情報２２’は、Ｘ線を透過しても読み取ることができない状態で記録されている。例えば、第２の情報２２’は、紫外線を照射すると発光が生じる無色蛍光インキによる構成としてもよいし、又は可視光下での観察において、画像情報が認識できるＯＶＤの構成や輝いた色を認識できる金属箔の構成としてもよい。
このように、金属層の情報を活用することにより、同一領域に複数の技術を付与することができるだけでなく、情報の相関をもたせることもできる。
【００４５】
実施例４の情報記録媒体２２は以上のような構成であるから、透過Ｘ線のもとではない所定の視認条件のもとで、第１の情報１７が認識不可能であり、金属層１８に形成された第２の情報２２’は認識可能である。透過Ｘ線のもとで、第１の情報１７が認識可能であり、第２の情報２２’が認識不可能である。そして、第２の情報２２’は、第１の情報１７と予め特定の相関関係（例えば、同一である又は同一でなくてもアルファベット順の関係がある、輝いた色と相関を持たせる等）を有するような情報として記録し、真偽判別の際、特定の相関関係の有無を確認して真偽判別可能な構成としてもよい。
【００４６】
（実施例５）
図１１は、本発明に係る情報記録媒体の実施例５を説明する図である。この情報記録媒体２３は、Ｘ線透過率がα％（但し、αは定数とする。）の紙で製造された基材２４を有し、この基材２４の一部である所定の領域Ｒに、第１の情報２５が微細穿孔（レーザを照射して基材を穿孔する。以下同じ）を用いて記録されている。
【００４７】
そして、この第１の情報２５の存在を隠蔽するために、第１の情報が記録された所定の領域Ｒが、Ｘ線透過率がβ％（但し、α＜β；βは定数とする。）の、例えばアルミニウム等の材料の金属層２６で被覆されている。
【００４８】
第１の情報２５は微細穿孔を利用して記録されており、この微細穿孔部のＸ線透過率は基材２４の微細穿孔のない他の部分と比べ、Ｘ線透過率が高くなる。又金属層２６が基材２４よりもＸ線透過率が高いため、例えば軟Ｘ線を透過させると微細穿孔を利用して記録された第１の情報２５は、微細穿孔の有無によりＸ線透過反応が異なるため、Ｘ線透過像が認識可能となる。
この実施例５は、金属層が付与された同一領域において、金属層下に施された微細穿孔による第１の情報２５を読み取ることで真偽判別を行うことができる。
【００４９】
第１の情報２５は、基材２４に微細穿孔を用いて記録されるが、その具体的な構成は、文字、マーク、数字でもよいし、機械読み取り可能なコード情報としてもよい。ここで、第１の情報２５は、微細穿孔による濃淡の階調を施してもよい。
そして機械読み取り可能なコード情報は、微細穿孔で記録されたバーコード情報としてもよいし、２次元コードで記録されている構成としてもよい。図１２は、マトリックス状に記録されている２次元コードの構成を示しており、２次元コード２７、要素２７’を選択的に多数の微細穿孔で穿孔しデータが記録されている。
【００５０】
（実施例６）
図１３は、本発明に係る情報記録媒体の実施例６を示す図である。この実施例６の情報記録媒体２８では、基材２４と基材２４の一部に微細穿孔により記録された第１の情報２５については、実施例５と全く同様である。この実施例６の情報記録媒体２８では、金属層２６に第２の情報２９が記録されている。但し、第１の情報＝第２の情報、又は第１の情報≠第２の情報とする。
【００５１】
ところで、この第２の情報２９は、Ｘ線を透過しても読み取ることができないが、所定の視認条件のもとで認識可能な状態で記録されている。第２の情報２９の視認条件としては、例えば、紫外線を照射すると発光を生じる無色蛍光インキによる構成としてもよいし、又可視光下での観察において、角度により画像情報が目視できるＯＶＤの構成や輝いた色を認識できる金属箔の構成としてもよい。
【００５２】
実施例６の情報記録媒体２８は以上のような構成であるから、透過Ｘ線のもとではない所定の視認条件のもとで、第１の情報２５が認識不可能であり、金属層２６に形成された第２の情報２９は認識可能であり、透過Ｘ線のもとで、第１の情報２５が認識可能であり、第２の情報２９が認識不可能である。そして、第２の情報２９は、第１の情報２５と予め特定の相関関係（例えば、同一である又は同一でなくてもアルファベット順の関係がある、輝いた色と相関を持たせる等）を有するような情報として記録し、真偽判別の際、特定の相関関係の有無を確認して真偽判別可能な構成としてもよい。
【００５３】
以上、本発明に係る情報記録媒体の実施例１〜６について説明したが、実施例１〜６の情報記録媒体に、偽造防止効果をさらに高めるための隠蔽画線を付設した変形例を、以下説明する。
【００５４】
（実施例１、２の変形例）
図１４は、実施例１の変形例を示す図である。図１４（ａ）〜（ｅ）に示す変形例は、いずれも実施例１の情報記録媒体１において、その所定の情報３が、基材２又は金属層４を通して目視できないように、所定の情報３を隠蔽するための隠蔽画線を付設した構成を特徴とする。なお、図１４（ａ）〜（ｅ）の金属層４に第２の情報１４（図６参照）を追加すれば、実施例２の変形例となるが、その説明は省略する。
【００５５】
隠蔽画線としては、地紋が緻密に印刷、又はベタ印刷されて成る第１の隠蔽画線３０と、地紋が緻密に印刷、又はベタ印刷されて成る第２の隠蔽画線３１とがある。第１の隠蔽画線３０及び第２の隠蔽画線３１は、Ｘ線透過率は、所定の情報３、基材２及び金属層４より高く、透過Ｘ線のもとで所定の情報３の識別を阻害するものではない。この時、第１の隠蔽画線３０及び第２の隠蔽画線３１は、所定の情報３、基材２及び金属層４よりもＸ線透過率が高いという条件を満足する同一のＸ線透過率のインキを用いて印刷される構成とし、本発明に係る特許請求の範囲に記載の隠蔽画線についても同様の構成とした。
【００５６】
図１４（ａ）は、実施例１の情報記録媒体１において、基材２の金属層４の反対側の面（裏面）から基材２を通して所定の情報３を目視することができないように、基材２の表面の領域Ｒ上に第１の隠蔽画線３０を印刷し、その上に所定の情報３を印刷して成る構成である。図１４（ｂ）は、基材２の表面の所定の領域Ｒに対応する裏面の所定の領域Ｒ上に第１の隠蔽画線３０を印刷して成る構成である。
【００５７】
図１４（ｃ）は、所定の情報３の上から領域Ｒ上に第２の隠蔽画線３１を印刷して成る構成である。図１４（ｄ）は、基材２の裏面の領域Ｒ上に第１の隠蔽画線３０を印刷するとともに、所定の情報３の上から領域Ｒ上に第２の隠蔽画線３１を印刷し、所定の情報３を上下両面からより効果的に隠蔽して成る構成である。図１４（ｅ）は、基材２の表面の領域Ｒ上に第１の隠蔽画線３０を印刷するとともに、所定の情報３の上から領域Ｒ上に第２の隠蔽画線３１を印刷し、所定の情報３を上下両面からサンドイッチ状に効果的に隠蔽して成る構成である。
【００５８】
（実施例３〜６の変形）
図１５は、実施例３〜６の変形例を示す図である。図１５（ａ）〜（ｃ）に示す変形例は、いずれも実施例３〜６と同じ情報記録媒体に、その第１の情報、即ち、すき入れ（実施例３、４）又は微細穿孔（実施例５、６）が基材や金属層を通して目視できないように、隠蔽するための隠蔽画線を付設した構成を特徴とする。隠蔽画線は、図１４に利用した隠蔽画線と全く同様の第１の隠蔽画線３０及び第２の隠蔽画線３１を利用する。なお、図１５（ａ）〜（ｃ）中では第２の情報（実施例４では２２’、実施例６では２９）については、省略する。
【００５９】
図１５（ａ）は、基材（第３、４の実施例の場合は１６、第５、６の実施例の場合は２４。以下、同じ）の裏面の領域Ｒ上に、第１の隠蔽画線３０を印刷して成る構成であり、図１５（ｂ）は、基材１６、２４の表面の領域Ｒ上に第１の情報（第３、４の実施例の場合は１７、第５、６の実施例の場合は２５。）の上から、第２の隠蔽画線３１を印刷して成る構成である。図１５（ｃ）は、基材１６、２４の裏面の領域Ｒ上に第１の隠蔽画線３０を印刷するとともに、基材の表面において第１の情報１７、２５の上から領域Ｒ上に第２の隠蔽画線３１を印刷し、第１の情報１７、２５を上下両面からより効果的に隠蔽することができる構成を示している。
【００６０】
以上、本発明の実施の形態を実施例に基づいて図面を参照して説明したが、本発明は上記実施例に限定されることなく、特許請求の範囲記載の技術的事項の範囲内でいろいろな実施例があることは言うまでもない。
例えば、基材としてプラスチック、合成樹脂等を用いてもよい。この場合は、基材の厚さを変化させてＸ線透過率に差を設けて情報を付与することができる。又、紙の場合と同様に、印刷インキによる印刷又はレーザ穿孔による微細穿孔によって情報を施してもよい。
【００６１】
【発明の効果】
以上のように、本発明に関わる情報記録媒体は、同一領域に複数の情報を付与することができ、限られた狭い面積である紙幣等の貴重印刷物において、偽造防止効果を高めることができる。さらに両情報に相関関係を施すことにより、一層、偽造防止効果が高まる。又、金属層下の第１の情報は、透過Ｘ線のもとでのみ情報を確認することができるため、透過Ｘ線装置が空港、各研究機関等の特殊な場所のみにあることから、その情報は一般には確認困難である。
これらによりきわめて偽造困難な情報記録媒体を実現する。
【図面の簡単な説明】
【図１】本発明に係る情報記録媒体の実施例１を説明する図である。
【図２】本発明に係る情報記録媒体の実施例１の要部を説明する図である。
【図３】本発明に係る情報記録媒体の実施例１の要部を説明する図である。
【図４】本発明に係る情報記録媒体の実施例１の要部を説明する図である。
【図５】本発明に係る情報記録媒体の実施例１の要部を説明する図である。
【図６】本発明に係る情報記録媒体の実施例２を説明する図である。
【図７】本発明に係る情報記録媒体の実施例３を説明する図である。
【図８】本発明に係る情報記録媒体の実施例３の要部を説明する図である。
【図９】本発明に係る情報記録媒体の実施例３の要部を説明する図である。
【図１０】本発明に係る情報記録媒体の実施例４を説明する図である。
【図１１】本発明に係る情報記録媒体の実施例５を説明する図である。
【図１２】本発明に係る情報記録媒体の実施例５の要部を説明する図である。
【図１３】本発明に係る情報記録媒体の実施例６を説明する図である。
【図１４】本発明に係る情報記録媒体の実施例１、２の変形例を説明する図である。
【図１５】本発明に係る情報記録媒体の実施例３〜６の変形例を説明する図である。
【符号の説明】
１、１３、１５、２２、２３、２８    情報記録媒体
２、１６、２４    基材
３    所定の情報
３’、１７、２５    第１の情報
４、１８、２６    金属層
５、６、９、１９          バーコード
１１、２０、２７          ２次元コード
７、８、１０、１２、２１、２７’  所定のコード
１４、２２’、２９    第２の情報
３０    第１の隠蔽画線
３１    第２の隠蔽画線
【図１】
2004188809.tif 000003
【図２】
2004188809.tif 000004
【図３】
2004188809.tif 000005
【図４】
2004188809.tif 000006
【図５】
2004188809.tif 000007
【図６】
2004188809.tif 000008
【図７】
2004188809.tif 000009
【図８】
2004188809.tif 000010
【図９】
2004188809.tif 000011
【図１０】
2004188809.tif 000012
【図１１】
2004188809.tif 000013
【図１２】
2004188809.tif 000014
【図１３】
2004188809.tif 000015
【図１４】
2004188809.tif 000016
【図１５】
2004188809.tif 000017